(57)【要約】【課題】画像関連装置の機能に従った管理を行うことができる監視システムの管理装置を提供する。【解決手段】  画像関連装置の監視システムの管理装置１０を提供する。この管理装置１０は、演算制御部１００により、画像関連装置の設定情報と動作状態情報とを取得する。また、演算制御部は、画像関連装置を設定情報に従って撮影、録画、及び視聴に対応させて表示画面上に区分けして配置する配置部１０１を備えている。また、演算制御部１００は、動作状態情報に従って状態表示を行う状態表示部１０２を備えている。さらに、演算制御部１００は、動作状態情報が正常値データ１５７の正常値と異なる値を検出した場合には異常状態と判断する異常値判断部１０３を備えている。加えて、演算制御部１００は、動作状態情報を複数取得し、正常値を設定する正常値設定部１０４も備えている。【選択図】図１
2011249912.tif 000002
【特許請求の範囲】
【請求項１】
画像関連装置と管理装置とを備えた監視システムの管理装置において、
前記画像関連装置の設定情報と動作状態情報とを取得する演算制御部を備え、
前記演算制御部は、
前記画像関連装置を、前記設定情報に従って表示画面に撮影、録画、及び視聴に区分けして配置する配置部と、
前記画像関連装置を、前記動作状態情報に従って状態表示を行う状態表示部とを備える
ことを特徴とする監視システムの管理装置。
【発明の詳細な説明】
【技術分野】
【０００１】
本発明は、監視システムの管理装置に係り、特に、接続された各機器の状態を取得し、その情報を表示部に表示するような監視システムの管理装置に関する。
【背景技術】
【０００２】
従来、セキュリティ（安全）意識の高まりや警備の省力化の要求から、ネットワーク化された監視システムが注目されている。
監視システムは、ホテル、ビル、コンビニエンスストア、金融機関、ダム、又は道路のような不特定多数の人が訪れる施設等の防犯・防災用に設置された監視カメラの画像等を、管理室等にいる監視者が監視し、目的や必要に応じて注意を喚起するシステムである。
【０００３】
近年、これらの監視システムにおいては、例えば、監視カメラ（以下、カメラと称する）、カメラの画像を記憶するレコーダ、及び画像を表示するビューワ等の画像関連装置をネットワークに接続して、これらの稼働状況や撮像状況等をネットワーク上で管理を行う管理装置を加えた監視システムが用いられてきている。
【０００４】
ここで、図７を参照して、従来の管理装置を用いた従来の監視システムの構成例について説明する。
従来の監視システムとして、例えば、画像関連装置２０−１〜２０−ｎが、ネットワーク５、ＩＰフィルタリングやＩＰマスカレード等を行うルータ等であるルータ６（Ｒｏｕｔｅｒ）、スイッチングハブ等のハブ７（Ｈｕｂ）等により構成されたネットワークに接続され、管理装置１１がこれらを管理するように構成したものがある。図７においては、画像関連装置２０−１〜２０−１４を用いる例について示す。
ここで、従来の監視システムのネットワークは、各装置を結ぶ、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＬＡＮ（Ｖｉｒｔｕａｌ  ＬＡＮ）を用いる無線ＬＡＮ、有線ＬＡＮ、メッシュネットワーク、ＷｉＭＡＸ、インターネット、携帯電話網等のデータ通信可能な回線である。また、ネットワーク５は、専用線、イントラネット等の有線ＩＰネットワーク等を用いてもよく、光ファイバー、ｃ．ｌｉｎｋ、電灯線ネットワーク等も用いることができる。
管理装置１１は、ＰＣ／ＡＴ互換機や専用機を用いたネットワーク管理装置であり、各機器の状況を表示することができる。
【０００５】
画像関連装置２０−１、２０−３、２０−８、２０−９、２０−１０、２０−１１は、監視用の動画や静止画像を撮像してネットワーク上に送信するネットワーク対応のカメラである。このカメラは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を用いて対象物を撮像（撮影）した撮像装置のデータを、例えば、ＪＰＥＧ、ＭＰＥＧ２／４等の画像データに変換して、ネットワークに送信する機能を備えている。また、ネットワーク対応でない撮像機をネットワーク配信のための画像データに変換するエンコーダである画像関連装置２０−４を用いて構成されるカメラも用いることができる。また、これらのカメラには人感センサ等のセンサ情報を送信するものもある。
画像関連装置２０−２、２０−６、２０−７は、カメラからの画像データやセンサ情報等を録画・保存する記憶媒体を備えたＮＡＳ（Ｎｅｔｗｏｒｋ  Ａｔｔａｃｈｅｄ  Ｓｔｏｒａｇｅ）やサーバ等のレコーダである。
画像関連装置２０−５、２０−１２、２０−１３、２０−１４は、撮像された画像を、管理室等にいる監視者が監視し、目的や必要に応じて注意を喚起するための表示装置や警報装置となるビューワである。ビューワは、カメラからの画像データ等を表示可能なデータに変換するデコーダと、この表示可能なデータを文字や画像等として表示するモニタを含んで構成することもできる。
【０００６】
図８を参照して、このように複雑にネットワークに接続された各装置を、従来の管理装置１１が液晶ディスプレイやプロジェクタ等の表示部に表示する例について説明する。
図８においては、接続された各機器を、伝送装置と端末装置に分類し、それらが属するＶＬＡＮやサブネット、ＩＰアドレス等のネットワーク技術の視点でグループ分けをして表示する。また、スイッチングハブやルータ、サーバなど、ネットワーク技術的に複雑で重要なものを主たる管理対象として表示する。
また、図８では、管理装置１１のマウス等のポインティングデバイスの入力に従って、画面上のマウスポインタ６１０を動かして、指し示した各部の詳細情報３７０を表示させることができる。
【０００７】
このような従来の監視システムの別の例として、特許文献１を参照すると、複数のカメラと、上記カメラの取得する映像をネットワークを介して表示する複数のディスプレイを隣接させて構成した大画面表示装置と、上記カメラ及び上記大画面表示装置とネットワークを介して通信し上記大画面表示装置に表示する映像を制御する監視端末であって、上記監視端末は、上記大画面表示装置に表示する映像について、その画面配置と拡大表示を制御することを特徴とする監視カメラシステムが記載されている（以下、従来技術１とする。）。
従来技術１の監視システムは、監視カメラの映像を、複数のディスプレイで構成する大画面表示装置に表示する場合に、操作をより迅速簡単に実行することができる。
【先行技術文献】
【特許文献】
【０００８】
【特許文献１】特開２００８−２８８７７３号公報
【発明の概要】
【発明が解決しようとする課題】
【０００９】
ここで、監視システムの管理において、最も重要なのは画像であり、伝送だけではなく、撮影、録画、視聴のすべての機能が管理対象となる。
しかしながら、従来技術１を含む従来の監視システムにおける管理装置は、伝送路やネットワーク装置などのネットワークそのものだけを管理対象としており、伝送機能しか管理できないという問題があった。
【００１０】
本発明は、このような状況に鑑みてなされたものであり、上述の課題を解消することを課題とする。
【課題を解決するための手段】
【００１１】
本発明の監視システムの管理装置は、画像関連装置と管理装置とを備えた監視システムの管理装置において、前記画像関連装置の設定情報と動作状態情報とを取得する演算制御部を備え、前記演算制御部は、前記画像関連装置を、前記設定情報に従って表示画面に撮影、録画、及び視聴に区分けして配置する配置部と、前記画像関連装置を、前記動作状態情報に従って状態表示を行う状態表示部とを備えることを特徴とする。
【発明の効果】
【００１２】
本発明によれば、設定情報および動作状態情報に従って、撮影、録画、視聴に対応して画像関連装置を表示画面上に配置することにより、画像関連装置の機能に従った管理を行うことができる監視システムの管理装置を提供することができる。
【図面の簡単な説明】
【００１３】
【図１】本発明の実施の形態に係る管理装置１０の制御構成を示すブロック図である。
【図２】本発明の実施の形態に係る画像関連装置２０−１の制御構成を示すブロック図である。
【図３】本発明の実施の形態に係る管理処理のフローチャートである。
【図４】本発明の実施の形態に係る装置表１５６の記憶内容の概念図である。
【図５】本発明の実施の形態に係る表示画面描画処理のフローチャートである。
【図６】本発明の実施の形態に係る表示画面例の概念図である。
【図７】従来の管理システムＹのシステム構成図である。
【図８】従来の表示画面例の概念図である。
【発明を実施するための形態】
【００１４】
＜実施の形態＞
〔監視システムＸのシステム構成〕
本発明の実施の形態の監視システムＸは、上述の図７の監視システムと同様のネットワークを用いた監視システムである。この上で、監視システムＸは、管理装置としては、管理装置１１の代わりに管理装置１０を備えている。
管理装置１０は、管理装置１１と同様に、ネットワーク経由で各装置の情報を収集する装置である。
【００１５】
〔管理装置１０の制御構成〕
まず、図１を参照して、この管理装置１０の制御構成について説明する。
監視システムＸの管理装置１０は、ディスプレイ・モニタに各機器を表示し、ネットワーク管理等を行う専用の監視端末装置である。
管理装置１０は、ＰＣ／ＡＴ互換機やＭＡＣ等であるＰＣ（パーソナル・コンピュータ）等を用いることができる。また、管理装置１０は、Ｗｉｎｄｏｗｓ（登録商標）やＭａｃ  ＯＳ（登録商法）等の通常のＯＳ（Ｏｐｅｒａｔｉｎｇ  Ｓｙｓｔｅｍ）がインストールされたＰＣの記憶部に記憶したプログラムにより実現してもよい。
より具体的に、管理装置１０は、演算制御部１００、操作入力部１１０、表示部１２０、ネットワークＩ／Ｆ１４０、記憶部１５０を含んで構成される。
【００１６】
演算制御部１００は、管理装置１０の管理動作の演算処理を行うＣＰＵ（Ｃｅｎｔｒａｌ  Ｐｒｏｃｅｓｓｉｎｇ  Ｕｎｉｔ、中央処理装置）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）等の制御部である。演算制御部１００は、管理装置１０の各部を制御する部位である。また、演算制御部１００は、ＲＯＭやフラッシュメモリ等の不揮発性の記憶部を内蔵し、その記憶部のプログラムに従って各部を制御するように構成してもよい。
操作入力部１１０は、マウスやトラックボール等のポインティングデバイス、キーボード等を備えた管理装置１０の操作入力部である。操作入力部１１０が取得した監視者のユーザの入力情報は、演算制御部１００が取得して、ＯＳのＧＵＩ（Ｇｒａｐｈｉｃａｌ  Ｕｓｅｒ  Ｉｎｔｅｒｆａｃｅ）により表示画面を更新したり、各機器の情報を参照したり、各機器の遠隔操作を行うことができる。
表示部１２０は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＬＥＤ（Ｌｉｇｈｔ  Ｅｍｉｔｔｉｎｇ  Ｄｉｏｄｅ）、ＣＲＴ（Ｃａｔｈｏｄｅ  Ｒａｙ  Ｔｕｂｅ）等を用いたディスプレイ・モニタであり、監視システムＸの各機器についての管理情報を表示する。
ネットワークＩ／Ｆ１４０（ネットワーク・インターフェイス）は、ＬＡＮカードや無線ＬＡＮカード等であり、ネットワークにデータを入出力し、各部からの設定情報や状態情報を取得することができる。
記憶部１５０は、演算制御部が実行する監視システムＸの管理をするためのプログラムや表示用の画像データや一時データを含んで記憶するＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリ等の記憶部位である。
【００１７】
このうち、演算制御部１００は、主な演算制御部位として、配置部１０１、状態表示部１０２、異常値判断部１０３、正常値設定部１０４とを含んで構成される。
配置部１０１は、画像関連装置を、設定情報２５５（図２参照）に従って撮影、録画、及び視聴の機能に対応させて表示部１２０の表示画面上に区分けして配置する部位である。
状態表示部１０２は、設定情報２５５、動作状態情報２６５（図２参照）等に従って、画像関連装置２０−１〜２０−ｎ、ネットワーク５、ルータ６、ハブ７（図７参照）等の各機器の状態を表示部１２０の表示画面上に配置する部位である。
異常値判断部１０３は、ネットワークＩ／Ｆ１４０により各機器から取得した動作状態情報２６５、ＩＣＭＰやＳＮＭＰにより取得された情報等の状態情報が正常値と異なる場合は、異常状態と判断する部位である。
正常値設定部１０４は、各機器から取得した状態情報を記憶して例えば平均値や標準偏差を求め、正常値を設定する部位である。
なお、配置部１０１と、状態表示部１０２と、異常値判断部１０３と、正常値設定部１０４とを記憶部のプログラムとして備え、演算制御部１００が実行するように構成してもよい。
【００１８】
また、記憶部１５０には、装置表１５６および正常値データ１５７を記憶している。
このうち、装置表１５６は、画像関連装置２０−１〜２０−ｎやルータ、ハブ７等の各機器の固有情報や稼働状況等を記憶したデータである。この装置表１５６を基に、管理用の表示画面を描画することができる。
正常値データ１５７は、各画像関連装置２０−１〜２０−ｎ、ネットワーク５やルータ６やハブ７等のネットワーク上の機器の正常状態の情報を記録しているデータである。この正常値データ１５７は、設定情報２５５の各機器の情報や、ネットワークの通信のログ等により、予め、管理者のユーザが正常値や正常レベルを設定することができる。また、正常値データ１５７は、正常値設定部１０４により設定することもできる。
【００１９】
〔画像関連装置２０−１〜２０−ｎの制御構成〕
次に、図２を参照して、画像関連装置２０−１〜２０−ｎのうち、画像関連装置２０−１を代表例として制御構成を説明する。
画像関連装置２０−１の画像処理・ネットワーク処理関連の部位は、演算制御部２００、ネットワークＩ／Ｆ２４０、記憶部２５０、画像処理部２６０を含んで構成される。
演算制御部２００は、画像関連装置２０−１の管理動作を行うための演算処理を行うＭＰＵ等である。
ネットワークＩ／Ｆ２４０は、図１のネットワークＩ／Ｆ１４０と同様の部位である。
記憶部２５０は、ＲＡＭ、ＲＯＭ、ＨＤＤ、フラッシュメモリ等を含む記憶部位である。また、記憶部２５０は、管理装置１０からのネットワーク経由の情報取得のコマンド等により返信するための設定情報２５５を記憶している。設定情報２５５には、画像関連装置２０−１の種別、ＩＰアドレス、使用する静止画像・動画像のファイル形式やコーデック等の情報が記憶されている。
画像処理部２６０は、図示しないＣＣＤやＣＭＯＳセンサからの画像情報等を、各種コーデックの画像ファイル、ストリーミングデータ等にエンコード／デコード／トランスコード等の変換をするＤＳＰ（Ｄｉｇｉｔａｌ  Ｓｉｇｎａｌ  Ｐｒｏｃｅｓｓｏｒ）やＧＰＵ等の部位である。また、画像処理部２６０は、各機器の機能に対応した状態情報である動作状態情報２６５を記憶している。たとえば、画像関連装置２０−１は、動作状態情報２６５として、動作温度、配信エラー率、動作状態、配信ストリーム数、現在の配信先の機器のＩＰアドレス、コーデック、解像度、伝送量、伝送方式、エンコード／デコード／トランスコード等の動作状態を記憶している。
なお、動作状態情報２６５を記憶部２５０に記憶する構成も可能である。また、動作状態情報２６５は。たとえば、画像関連装置２０−１〜２０−ｎ以外のネットワーク機器の場合は、ＩＣＭＰやＳＮＭＰ等により得られる伝送路の状態情報を記憶しておいてもよい。
さらに、画像関連装置２０−１は、ＳＮＭＰ（Ｓｉｍｐｌｅ  Ｎｅｔｗｏｒｋ  Ｍａｎａｇｅｍｅｎｔ  Ｐｒｏｔｏｃｏｌ）等のネットワーク制御のコマンドに応答する部位も備えていてもよい。
【００２０】
〔監視システムＸの管理処理〕
ここで、図３〜図６を参照して、本発明の第１の実施の形態に係る監視システムＸを用いた管理処理についてより詳しく説明する。
本実施形態の管理処理におけるネットワークシステムでは、管理装置が、接続された各装置や伝送路の状態を取得し、その情報を表示装置に表示するような管理処理を行う。
本実施形態の管理処理においては、管理装置１０が各装置や伝送路の情報を、映像監視の視点から分類、配置して表示する。これにより、実際に画像の監視を行う監視者のユーザが、映像監視システムの動作状況を直感的にわかりやすく、把握できるという効果が得られる。
以下で、図３のフローチャートを参照して、本実施形態の管理処理について詳しく説明する。
【００２１】
まず、ステップＳ１０１において、管理装置１０の動作開始時に、演算制御部１００は、画像関連装置２０−１〜２０−ｎを検索するか否かを判定する。このような探索を行うか否かは、管理装置１０の監視者のユーザによって事前に設定され、記憶部１５０に設定値情報が記憶されている。また、装置表１５６が存在しない場合は、Ｙｅｓと判定することができる。
Ｙｅｓの場合、演算制御部１００は、処理をステップＳ１０２に進める。
Ｎｏの場合、演算制御部１００は、処理をステップＳ１０３に進める。
【００２２】
探索を行う場合（ステップＳ１０１でＹｅｓの場合）、ステップＳ１０２において、画像関連装置２０−１〜２０−ｎの探索をする場合、演算制御部１００は、装置表作成処理を行う。
具体的には、演算制御部１００は、ネットワーク内を探索して、画像関連装置２０−１〜２０−ｎやルータ６やハブ７等のネットワーク上の機器を探索し、記憶部１５０に装置表１５６を作成する。この際に、既に装置表１５６が存在していた場合、例えば、上書きするか否かユーザにＧＵＩにて問い合わせるように構成してもよい。
探索する方法としては、ネットワーク上の各機器に対して、所定のポート番号にブロードキャストを行い、対応した機器が自身のアドレス関連情報を送信元へ返信することができる。また、特定のアドレス範囲の全アドレスに対して問い合わせのパケットを送出し、ＩＰアドレス等が一致した機器が自身のアドレス関連情報を送信元へ返送することもできる。さらに、ＳＮＭＰ等のネットワーク管理のプロトコルにより、検出した各機器に対して、機器の情報を送信させるようにコマンドを送ることもできる。
これにより、各機器において、画像関連装置２０−１〜２０−ｎからは、設定情報２５５を取得する。また、ルータ６、ハブ７等からも、ＳＮＭＰ等を用いて、各機器の固有情報や稼働状況等を取得することができる。演算制御部１００は、取得した設定情報２５５、固有情報や稼働状況等を、記憶部１５０に装置表１５６として記憶する。
その後、演算制御部１００は、処理をステップＳ１０４に進める。
【００２３】
探索をしない場合（ステップＳ１０１でＮｏの場合）、ステップＳ１０３において、演算制御部１００は、装置表読み込み処理を行う。
具体的には、演算制御部１００は、先に設定された記憶部１５０に記憶されている、装置表１５６を選択する。
図４を参照すると、装置表１５６には、各画像関連装置２０−１〜２０−ｎの固有情報や稼働状況が記憶されている。図４の例では、装置表１５６には、カメラの装置情報７２０と、ビューワの装置情報７３０が記憶されている例を示している。
ここで、固有情報としては、装置名、装置の種別、機種、ＩＰアドレス等を記憶することができる。また、稼働状況としては、稼働温度、エラーの有無、動作状態、画像の配信数、画像の配信先、画像のコーデック、画像の解像度、ＢＰＳ（Ｂｉｔ  Ｐｅｒ  Ｓｅｃｏｎｄ）単位の伝送量、放送方式、配信先ＩＰアドレス等を記憶することができる。
また、この他にも、装置表１５６には、ルータ６、ハブ７の固有情報や稼働状況等を記憶できる。この場合には、固有情報としては機種名、稼働状況は稼働中か否かといった、ＳＮＭＰで取得できる程度の簡素な情報であってもよい。
【００２４】
ステップＳ１０４において、演算制御部１００は、装置情報取得処理を行う。
具体的には、管理装置１０の演算制御部１００は、装置表１５６のＩＰアドレス等を用いて、ネットワークＩ／Ｆ１４０から、全ての機器に装置情報取得コマンドを送信する。
また、各画像関連装置２０−１〜２０−ｎに関しては、内部タイマ割り込み、人検知のセンサー入力等のイベント割り込みが発生した際に、ネットワーク経由で管理装置１０に向けて、装置情報を送信する。
【００２５】
ここで、装置情報取得コマンドを受信した際の画像関連装置２０−１〜２０−ｎの動作を、画像関連装置２０−１を代表例として説明する。
画像関連装置２０−１のネットワークＩ／Ｆ２４０から装置情報取得コマンドを受信すると、演算制御部２００が情報取得コマンドと認識する。すると、演算制御部２００は、記憶部２５０から設定情報２５５を、画像処理部２６０から動作状態情報２６５を取得し、これを所定の形式のファイル等にまとめて、装置情報としてネットワークＩ／Ｆ２４０から管理装置１０に向けて送信する。
【００２６】
管理装置１０の演算制御部１００は、ネットワークＩ／Ｆ１４０を用いて、この装置情報を受信し、記憶部１５０に記憶する。これにより、演算制御部１００は、画像関連装置２０−１〜２０−ｎの動作状況を把握することができる。
また、管理装置１０の演算制御部１００は、ネットワーク関連装置から、ＳＮＭＰ等の従来技術を使用して装置情報を取得することにより、ネットワーク上の伝送路の状況も取得することができる。
【００２７】
次に、ステップＳ１０５において、演算制御部１００は、装置種別分類処理を行う。
ここでは、演算制御部１００は、装置情報を基に、装置表１５６内の装置の種別を、例えばカメラ（Ｃａｍｅｒａ）、レコーダ（Ｒｅｃｏｒｄｅｒ）、ビューワ（Ｖｉｅｗｅｒ）等のように分類する。
この際に、装置表１５６のデータを、装置の種別毎にソートしてもよい。
【００２８】
ステップＳ１０６において、演算制御部１００は、表示画面描画処理を行う。
具体的には、管理装置１０の演算制御部１００は、収集され分類された装置情報を、各装置の種別や設定、状態ごとに、監視システムＸの監視者のユーザが見やすいように配置して表示部に表示する。
この表示画面描画処理の詳細については後述する。
【００２９】
ステップＳ１０７において、演算制御部１００は、定期更新を行うか否か判定する。ここでは、所定のタイマに従って、装置情報の取得〜表示画面描画までの更新処理を行うか否かを判定する。
Ｙｅｓの場合、演算制御部１００は、処理をステップＳ１０４に戻す。
Ｎｏの場合、演算制御部１００は、管理処理を終了し、ユーザの指示を待つ。その後、所定のタイマの経過時間まで待機し、定期更新がある場合には更新処理を行う。
【００３０】
〔表示画面描画処理〕
次に、上述のステップＳ１０６の表示画面描画処理の詳細について説明する。
この表示画面描画処理においては、装置情報を管理装置１０の表示画面へ描画し、この表示画面を表示部１２０に表示する。
以下で、図５のフローチャートと、図６の表示画面例を参照して、この表示画面描画処理の各ステップを詳しく説明する。
【００３１】
まず、ステップＳ２０１において、演算制御部１００は、配置部１０１を用いて、画面内領域分割処理を行う。
具体的に例を挙げると、演算制御部１００は、図６の表示画面例のように表示画面例５００内を横に３分割し、左から「カメラ」「レコーダ」「ビューワ」の３領域とする。すなわち、表示画面例５００において、左側の領域にカメラ等の映像入力機器、中央の領域にレコーダ等の記録機器、右側の領域にビューワ等の視聴機器を配置することができる。
これにより、各機器の種別を把握しやすくなり監視者のユーザが直感的に、各機器を把握しやすくなるという効果が得られる。
なお、ネットワーク５、ルータ６、ハブ７といったネットワーク機器を、この各領域の間に配置して表示するような構成も可能である。
【００３２】
次に、ステップＳ２０２において、演算制御部１００は、配置部１０１を用いて、装置アイコン描画処理を行う。
この処理においては、演算制御部１００は、装置表に記載のある映像関連機器をそれぞれ装置アイコンとして画面上に描画する。
この際、各装置の種別により、上述の３領域の各欄に区分けして配置する。
図６の表示画面例では、演算制御部１００は、管理装置１０の表示画面５００として、画像関連装置２０−１に対応するカメラＡを示すアイコン５２０を左側の領域に表示する。また、演算制御部１００は、画像関連装置２０−２に対応するレコーダＡを示すアイコン５３０を中央の領域に表示する。さらに、画像関連装置２０−５に対応するビューアＡを示すアイコン５４０を右の領域に描画する。
この際、演算制御部１００は、各機器の並びを、例えば、装置の番号順、監視対象順のように、監視者が分かりやすいように並べて配置することができる。
【００３３】
また、演算制御部１００は、各機器の機能に従って、データの入力部を示す入力端子５１０と、データの出力部を示す出力端子５９０とを各装置アイコンに描画する。
たとえば、演算制御部１００は、各カメラの装置アイコンには、出力端子５９０を描画する。すなわち、これは、各カメラから画像データが出力されることを示す。
また、演算制御部１００は、各レコーダの装置アイコンには、入力端子５１０と出力端子５９０を描画する。すなわち、これは、各レコーダに画像データが入力され、この画像データが例えばビューワに出力されることを示す。
また、演算制御部１００は、各ビューワの装置アイコンには、入力端子５１０を描画する。すなわち、これは、各カメラや各レコーダから画像データが入力されることを示す。
【００３４】
ステップＳ２０３において、演算制御部１００は、配置部１０１を用いて、画像入力・出力描画処理を行う。
この処理においては、演算制御部１００は、装置アイコンに入力端子５１０がある場合は、そこから配信元の装置アイコンの出力端子５９０へと矢印の点線を引く。
また、演算制御部１００は、装置アイコンに出力端子５９０がある場合には、そこから配信先の装置アイコンの入力端子５１０へと矢印の点線を引く。
この際に、既に点線が引かれている場合には実線に変更する。
【００３５】
具体的に説明すると、まず、演算制御部１００は、入力端子５１０を描画した配信先の装置アイコンに対して、データの配信元の装置アイコンとの間に矢印つきの点線を描画する。
ここで、演算制御部１００は、装置表１５６のデータから入力先の装置アイコンに対応する機器を参照する。そして、演算制御部１００は、当該機器の配信元ＩＰアドレスを参照し、データの配信元でありＩＰアドレスを備える配信元の装置アイコンを検索する。
この上で、演算制御部１００は、配信元ＩＰアドレスを備える配信元の装置アイコンの出力端子５９０と、配信先の装置アイコンの入力端子５１０との間の経路を接続する点線を描画する。演算制御部１００は、この点線の矢印の方向として、出力端子５９０から入力端子５１０に向かう方向、つまり画像データ等が配信される方向に描画する。
この際に、演算制御部１００は、既に同じ経路に点線が描画されていた場合には実線に変更する。
また、演算制御部１００は、配信元ＩＰアドレスに対応する機器が検索できない、装置アイコンが描画されていない、入力元の装置アイコンに出力端子５９０がない、といった場合にその旨を装置アイコンの色変化やメッセージ出力等で報知するようなエラー表示を行う。
【００３６】
次に、演算制御部１００は、出力端子５９０を描画した配信元の装置アイコンに対応する装置表１５６のデータから配信先ＩＰアドレスを参照し、データの配信先でありＩＰアドレスを備える配信先の機器の装置アイコンを検索する。
この上で、演算制御部１００は、配信元の装置アイコンと、配信先の装置アイコンの入力端子５１０との間の経路に矢印つきの点線を描画する。
ここでも、演算制御部１００は、既に同じ経路に点線が描画されていた場合には実線に変更する。たとえば、図６の表示画面例では、画像関連装置２０−３に対応するカメラＧから、画像関連装置２０−２に対応するレコーダＣへと配信される画像データを示す経路矢印５５０が、実線で表示されている。
【００３７】
このように構成することで、配信元、配信先の設定ミスを画面上で容易に判別可能になるという効果が得られる。
すなわち、全ての機器に対して画像入力・出力描画が終了した時、点線の矢印が残っていると、対応する装置アイコンのいずれかの配信先又は配信元の設定が間違っていることが分かる。このため、設定ミスが判別できる。
また、データ量に応じて線の太さを、データの種類に応じて線の色や種類などを変化させて表示することで、使用者の意図するデータの送受信が行われているか判別し易くなる。
【００３８】
次に、ステップＳ２０４において、演算制御部１００は、異常値判断部１０３を用いて、装置異常描画処理を行う。
この処理において、演算制御部１００は、装置表１５６の値が正常値データ１５７の正常値の範囲内にあるかを確認する。
この上で、演算制御部１００は、各機器から収集した動作状態情報２６５と、正常値データ１５７とを比較し、その差の大きさから異常レベルを算出し、表示部１２０に表示する。
この際、演算制御部１００は、正常値の範囲外であれば、異常発生表示として、その装置アイコンの右上に異常アイコン５８０を描画することができる。
【００３９】
具体的には、管理装置１０の演算制御部１００は、新たに収集した動作状態情報２６５の値と比較し、その差の大きさから異常値、異常なレベルであると算出し、異常状態として状態表示する。
図６の表示画面例では、演算制御部１００は、上述のように異常アイコン５８０を表示部１２０の当該装置アイコンに重畳して表示する。
【００４０】
なお、正常値データ１５７は、管理装置１０の記憶部１５０に、事前に各画像関連装置２０−１〜２０−ｎや、ネットワーク５、ルータ６、ハブ７等のネットワーク関連装置から取得可能である。
この際に、演算制御部１００は、正常値設定部１０４を用いて、正常状態のネットワーク遅延、転送エラー率、画像の品質、機器の稼働状況等の動作状態情報２６５を取得する。また、ＳＮＭＰやＩＣＭＰ等のプロトコルにて動作状態情報２６５を得ることもできる。そして、演算制御部１００は、所定値の範囲のような形式で正常値を正常値データ１５７に記憶しておく。
【００４１】
また、演算制御部１００は、正常値設定部１０４を用いて、管理装置１０の記憶部１５０に、各画像関連装置２０−１〜２０−ｎやネットワーク関連装置から取得した動作状態情報２６５の値を、例えば時系列に複数記憶しておき、その平均値や標準偏差を基に正常値を設定することも可能である。
このように構成することで、事前に正常値を取得、設定することなく、異常状態の判別をすることができる。
【００４２】
次に、ステップＳ２０５において、演算制御部１００は、ポップアップウィンドウ描画処理を行う。
図６の例を参照して説明すると、この処理において、演算制御部１００は、ＯＳのＧＵＩを用いて、操作入力部１１０のポインティングデバイス等の移動によるマウスポインタ６００の位置等を検出する。
この上で、演算制御部１００は、検出されたマウスポインタ６００の位置が装置アイコン上であれば、装置表１５６に記憶された装置情報のいくつかを表示する。加えて、演算制御部１００は状態表示部１０２を用いて、状態表示を行うこともできる。
また、演算制御部１００は、検出されたマウスポインタ６００の位置が経路を示す矢印、例えば経路矢印５５０の上であれば、接続先の出力端子５９０の装置アイコンの機器から、入力端子５１０の装置アイコンの機器に伝送される情報をポップアップウィンドウ５７０に表示する。たとえば、その出力端子５９０の示す配信元の装置アイコンの機器のＩＰアドレス、配信コーデック、映像の解像度、配信方式、伝送量、伝送エラー、再送の有無、アラーム情報、音声の有無、入力端子５１０の示す配信先のＩＰアドレス等を、ポップアップウィンドウ５７０と共に描画する。その際、マウスポインタ６００の指し示す経路の矢印を太くしたり、色を変えて選択されたことを示す等の処理を行うこともできる。
また、演算制御部１００は、検出されたマウスポインタ６００の位置が異常アイコン５８０の上であれば、異常状態の詳細、例えば、当該装置アイコンの機器に接続できない、エラー率が高い、データの遅延が大きいといった情報をポップアップウィンドウ５７０に描画する。その際、選択された異常アイコン５８０の色を変えたり大きくしたりといったアニメーション処理を行うこともできる。
このように構成することで、監視者のユーザであるオペレータが、管理装置１０の表示部１２０の表示画面上で、より詳細な情報を知りたい場合に役立つ。
なお、上述のように、エラー表示を行っていた場合、当該装置アイコン等にマウスポインタ６００の位置が合っていた場合には、演算制御部１００は、ポップアップウィンドウ５７０にエラーである旨の状態表示を行う。
【００４３】
次に、ステップＳ２０６において、演算制御部１００は、画面更新をするか否か判断する。具体的には、上述のステップＳ２０６において、マウスポインタ６００の別の装置アイコンや経路を示す矢印を示しているか否か判定する。なお、この判定は、ＯＳのＡＰＩ（Ａｐｐｌｉｃａｔｉｏｎ  Ｐｒｏｇｒａｍｍｉｎｇ  Ｉｎｔｅｒｆａｃｅ）によるイベント駆動等により行うことができる。
Ｙｅｓの場合、演算制御部１００は、処理をステップＳ２０５に戻してポップアップウィンドウ描画処理を行う。
Ｎｏの場合、演算制御部１００は、表示画面描画処理を終了する。  
以上により、表示画面描画処理を終了する。
【００４４】
以上のように構成することで、以下のような効果を得ることができる。
従来技術１のような従来の監視システムにおけるネットワーク管理においては、ネットワーク技術的な視点によって装置をグループ分けして表示していた。このため、伝送機能しか管理できず、撮影、録画、及び視聴に対しては、ネットワーク上の管理手段とは別の手段を用いて管理を行う必要があった。
これに対して、本発明の実施の形態に係る監視システムＸにおいては、管理装置１０の表示部１２０に、カメラ、レコーダ、ビューワに対応するような複数の領域に分けて、対応する機器を区分けして配置して表示することで、ネットワーク管理と同時に、撮影、録画、及び視聴に係る機器の管理も行うことができる。
【００４５】
また、従来の管理システムでは、ネットワーク上の構成により装置をグループ分けして表示するため、各機器の配置が画像監視のためのグループ分けや配置とは異なる場合があった。このため、画像監視システムとしての動作状況が把握しにくいという問題があった。
これに対して、本発明の実施の形態に係る監視システムＸは、従来の管理装置では把握できなかった、画像監視システム上の画像データの流れ、各装置の状況、伝送路の状況がひと目で分かりやすく表示され、すばやく把握可能となる。
具体的には、画像関連装置２０−１〜２０−ｎにおいて、カメラやエンコーダからの映像が、どのレコーダに記録され、またどのビューアによって視聴されているか、またその画像のコーデックや解像度はどうなっているか等の情報を、監視者のユーザが簡単に把握することができる。
これにより、監視システムの運用、管理を容易に行うことができる。
【００４６】
具体的に説明すると、例えば、物理的には図７のように配線されたシステムがあった場合、従来、ネットワーク技術の観点からは図８のような構成に見えていた。
しかしながら、本実施形態に係る監視システムＸは、図６のように画像監視の際、管理装置１０の表示部１２０を３領域に分けて、左側の領域をカメラ等の映像入力機器、中央の領域をレコーダ等の記録機器、右側の領域をビューワ等の視聴機器、というように映像の流れに沿った配置をすることができる。また、各機器の並びを、装置番号順、監視対象順のように配置することができる。
これにより、本実施形態に係る監視システムＸは、管理者のユーザが監視対象の機器の構成を直感的に理解可能になり、監視負担を減らすことができるという効果が得られる。
【００４７】
本実施形態に係る監視システムＸは、各機器や画像の送受信の経路の異常を検出した場合は、その異常の値やレベルと共に重畳表示されることで瞬時に異常の発生および発生箇所を把握できる。
さらに、状態情報の値の平均値から正常値を算出することで、予め正常値データ１５７に正常値を設定するような手間をかけることなく、異常な状態を検出することもできる。
【００４８】
また、図８のように、従来の監視システムの表示画面例３００では、マウスポインタ６１０が指し示す詳細情報３７０として、伝送量、方式、配信元、配信先などのネットワーク管理上必要な情報のみを表示することができた。
これに対して、本実施形態に係る監視システムＸは、各機器の設定情報２５５、動作状態情報２６５を取得することで、詳細な情報を管理することができる。たとえば、図６のように、本実施形態に係る監視システムＸは、マウスポインタ６００が指し示す経路について、ポップアップウィンドウ５７０として、コーデックの種類や画像の解像度等、画像監視において重要な情報を表示することができる。
【００４９】
また、本実施形態に係る監視システムＸの管理装置は、画像関連装置と管理装置とを備えた監視システムの管理装置において、前記画像関連装置の設定情報と動作状態情報とを取得する演算制御部を備え、前記演算制御部は、前記画像関連装置を、前記設定情報に従って撮影、録画、及び視聴に対応させて表示画面上に区分けして配置する配置部と、前記画像関連装置を、前記動作状態情報に従って状態表示を行う状態表示部とを備えることを特徴とする。
【００５０】
また、本実施形態に係る監視システムＸの管理装置は、前記演算制御部は、前記動作状態情報が正常値と異なる値を検出した場合は異常状態と判断する異常値判断部を備えることを特徴とする。
【００５１】
また、本実施形態に係る監視システムＸの管理装置は、前記演算制御部は、前記動作状態情報を複数取得し、正常値を設定する正常値設定部とを備えることを特徴とする。
【００５２】
また、本実施形態に係る監視システムＸは、管理装置が、接続された各装置や伝送路の状態を取得し、その情報を映像信号の流れ方向や各装置の利用目的に応じて分類し、表示装置に表示することを特徴とする。これにより、現場のオペレータや監視システムＸの管理者にとって、監視システムＸの動作状況が把握し易くなる。
【００５３】
また、本実施形態に係る監視システムＸは、管理装置が、取得した各機器や伝送路の状態情報を、あらかじめ設定されたシステムの正常状態の値と比較し、その差の度合いから異常レベルを算出して、表示部に重畳表示することを特徴とする。
【００５４】
また、本実施形態に係る監視システムＸは、定期的に情報を取得、記録し、その経時変化から平均的な値を算出して正常状態の値とすることを特徴とする。
【００５５】
なお、本実施の形態の形態に係る管理装置１０の各手段は、それぞれ独立したハードウェアで実現されなくてもよく、さらに一つのハードウェアで複数の手段を実現してもよい。
また、監視システムＸの画像関連装置２０−１〜２０−ｎの構成や、ネットワーク機器の構成は任意である。たとえば、画像関連装置２０−１〜２０−ｎとして、携帯用のカメラ等を用いたり、レコーダに直接カメラが接続されているような構成であってもよい。また、複数のＬＡＮやＷＡＮやＶＬＡＮや専用線や無線網が混在していてもよい。
また、本実施の形態の形態に係る管理装置１０は、３領域に分割して画像関連装置２０−１〜２０−ｎを配置して表示するだけでなく、複数の配置方法を選択、切り換えて表示変更することも可能である。たとえば、管理装置１０は、画像関連装置２０−１〜２０−ｎの従来のネットワーク上の構成に準じて各機器を配置して表示することもできる。
また、本実施の形態の形態に係る管理装置１０は、配置部１０１が撮影、録画、及び視聴対応させて表示させる領域は、３領域に限られず、２領域、又は４領域以上の領域を用いることも可能であり、画面上を大きさが任意の複数の領域に分けることも可能である。たとえば、カメラ、レコーダ、ビューワのいずれか２つのみ備えるような構成も可能である。また、ネットワーク機器を別途それぞれの経路の間に配置するような構成が可能である。また、監視システムに付随するセンサや画像検索装置等を別の領域に表示することもできる。
【００５６】
なお、上記実施の形態の構成及び動作は例であって、本発明の趣旨を逸脱しない範囲で適宜変更して実行することができることは言うまでもない。
【符号の説明】
【００５７】
５  ネットワーク
６  ルータ
７  ハブ
１０、１１  管理装置
２０−１〜２０−ｎ  画像関連装置
１００、２００  演算制御部
１０１  配置部
１０２  状態表示部
１０３  異常値判断部
１０４  正常値設定部
１１０  操作入力部
１２０  表示部
１４０、２４０  ネットワークＩ／Ｆ
１５０、２５０  記憶部
１５６  装置表
１５７  正常値データ
２５５  設定情報
２６０  画像処理部
２６５  動作状態情報
３００、５００  表示画面例
３７０  詳細情報
５１０  入力端子
５２０、５３０、５４０  アイコン
５５０  経路矢印
５７０  ポップアップウィンドウ
５８０  異常アイコン
５９０  出力端子
６００、６１０  マウスポインタ
７２０  カメラの装置情報
７３０  ビューワの装置情報
Ｘ  監視システム
【図１】
2011249912.tif 000003
【図２】
2011249912.tif 000004
【図３】
2011249912.tif 000005
【図４】
2011249912.tif 000006
【図５】
2011249912.tif 000007
【図６】
2011249912.tif 000008
【図７】
2011249912.tif 000009
【図８】
2011249912.tif 000010